(57)【要約】【課題】断熱性を向上することにより、省エネルギ化を図ることができる電気湯沸し器を提供する。【解決手段】湯水Ｗを貯留する有底筒状の内容器１と、内容器１の上部開口１ａを開閉自在な蓋体２０とを備えた電気湯沸し器１００であって、蓋体２０の内部において、複数の蓋体用断熱部材２５が蓋体２０の厚み方向に層状に設けられている。【選択図】図１
2016214429.tif 000002
【特許請求の範囲】
【請求項１】
湯水を貯留する有底筒状の内容器と、前記内容器の上部開口を開閉自在な蓋体とを備えた電気湯沸し器であって、
前記蓋体の内部において、複数の蓋体用断熱部材が前記蓋体の厚み方向に層状に設けられている電気湯沸し器。
【請求項２】
前記内容器及び当該内容器の外周側を覆う筒状の本体用断熱部材が内部に設けられた湯沸し器本体を備え、
前記蓋体が前記内容器の上部開口を閉じた状態で、前記本体用断熱部材の上端部が、前記湯沸し器本体の上下方向において、前記蓋体の内部に設けられた複数の蓋体用断熱部材のうち、下から２層目に設けられた前記蓋体用断熱部材と同等の位置、又は、下から２層目に設けられた前記蓋体用断熱部材よりも上方に位置する請求項１に記載の電気湯沸し器。
【請求項３】
前記内容器及び当該内容器の外周側を覆う筒状の本体用断熱部材が内部に設けられた湯沸し器本体と、前記蓋体を、揺動軸周りの揺動により前記内容器の上部開口を開閉自在な状態で支持する揺動支持部とを備え、
前記蓋体に、当該蓋体が前記内容器の上部開口を閉じる状態に維持する係合部を備え、前記湯沸し器本体に、前記係合部を収容する収容凹部を備え、
前記本体用断熱部材の上端部が、前記湯沸し器本体の上下方向において、前記収容凹部及び前記揺動支持部のうち少なくとも何れか一方と同等の位置、又は、前記収容凹部及び前記揺動支持部のうち少なくとも何れか一方よりも上方に位置する請求項１又は２に記載の電気湯沸し器。
【請求項４】
前記内容器及び当該内容器の外周側を覆う筒状の本体用断熱部材が内部に設けられた湯沸し器本体を備え、
前記内容器の底部に、前記内容器から前記湯水を前記湯沸し器本体に設けられた湯水吐出口に供給する導水管が接続され、
前記本体用断熱部材の下端部が、前記湯沸し器本体の上下方向において、前記導水管と同等の位置又は前記導水管よりも下方に位置する請求項１〜３の何れか１項に記載の電気湯沸し器。
【請求項５】
前記蓋体が、前記内容器の上部開口を覆う下側部材と、前記下側部材とは別体に構成され、前記下側部材の上部に接続された上側部材とを備えている請求項１〜４の何れか１項に記載の電気湯沸し器。
【発明の詳細な説明】
【技術分野】
【０００１】
本発明は、湯水を貯留する有底筒状の内容器と、内容器の上部開口を開閉自在な蓋体とを備えた電気湯沸し器に関する。
【背景技術】
【０００２】
かかる電気湯沸し器は、湯沸し器本体に設けられた内容器を電気ヒータによって加熱することにより、内容器に貯留された湯水を加熱するものである。そして、加熱した湯水を所定の温度に保温するため、電気ヒータによって連続的或いは断続的に加熱するものである。
【０００３】
かかる電気湯沸し器の従来例として、湯水を貯留する内容器の外周側を、内部を真空状態とした真空断熱部材で覆うことにより、内容器から外部への放熱を抑制して、電気ヒータによる加熱をできるだけ少なくして省エネルギ化を図るものがある（例えば、特許文献１参照）。
また、別の電気湯沸し器の従来例として、湯水を貯留する内容器の外周側を真空断熱部材で覆うことに加えて、蓋体の内部に断熱材を充填することにより、内容器から外部へ蓋体を通じて放熱されることを抑制し、電気ヒータによる加熱をできるだけ少なくして省エネルギ化を図るものがある（例えば、特許文献２参照）。
【先行技術文献】
【特許文献】
【０００４】
【特許文献１】特開２００７−３１３２０４号公報
【特許文献２】特開２００９−１０１２３５号公報
【発明の概要】
【発明が解決しようとする課題】
【０００５】
上記特許文献１及び特許文献２においては、電気湯沸し器の断熱性を向上することにより、ある程度の省エネルギ化が図られているが、近年の更なる省エネルギ化の要望に応えるために、電気湯沸し器の断熱性を更に向上させることが望まれている。
【０００６】
本発明は、かかる点に着目してなされたものであり、その目的は、断熱性を向上することにより、省エネルギ化を図ることができる電気湯沸し器を提供することにある。
【課題を解決するための手段】
【０００７】
この目的を達成するための本発明に係る電気湯沸し器は、湯水を貯留する有底筒状の内容器と、前記内容器の上部開口を開閉自在な蓋体とを備えた電気湯沸し器であって、その特徴構成は、前記蓋体の内部において、複数の蓋体用断熱部材が前記蓋体の厚み方向に層状に設けられている点にある。
【０００８】
上記特徴構成によれば、積層された複数の蓋体用断熱部材の間に空気層を形成することができる。この空気層により蓋体用断熱部材の間の伝熱を阻害することができるので、蓋体の断熱性を向上させることができる。このため、内容器から外部に蓋体を通じて放熱されることを抑制することができ、内容器の湯水の温度を所定の温度に維持するための加熱を少なくすることができるので、省エネルギ化を図ることができる。
【０００９】
また、上記特徴構成によれば、積層された複数の蓋体用断熱部材の間に形成される空気層により蓋体の断熱性が向上するので、複数の蓋体用断熱部材の厚さを厚くすることなく蓋体の断熱性を向上することができる。さらに、複数の蓋体用断熱部材を蓋体の厚み方向に層状に設けるので、蓋体内に各蓋体用断熱部材を段階的に充填することができるので、例えば、一体的に形成された蓋体用断熱部材を一度に蓋体内に充填する場合に比べて、蓋体内への蓋体用断熱部材の充填が容易となる。
【００１０】
本発明に係る電気湯沸し器の更なる特徴構成は、前記内容器及び当該内容器の外周側を覆う筒状の本体用断熱部材が内部に設けられた湯沸し器本体を備え、前記蓋体が前記内容器の上部開口を閉じた状態で、前記本体用断熱部材の上端部が、前記湯沸し器本体の上下方向において、前記蓋体の内部に設けられた複数の蓋体用断熱部材のうち、下から２層目に設けられた前記蓋体用断熱部材と同等の位置、又は、下から２層目に設けられた前記蓋体用断熱部材よりも上方に位置する点にある。
【００１１】
上記特徴構成によれば、蓋体内において積層された複数の蓋体用断熱部材のうち、下方から一層目の蓋体用断熱部材と下方から二層目の蓋体用断熱部材との間に形成される空気層よりも上方の位置に、本体用断熱部材の上端部が位置することとなるので、本体用断熱部材の上方において、内容器から蓋体を介して外部に放熱されることを抑制することができる。また、内容器の上方が、本体用断熱部材と蓋体とによって閉塞された状態となるため、断熱性をより向上させることができる。
【００１２】
本発明に係る電気湯沸し器の更なる特徴構成は、前記内容器及び当該内容器の外周側を覆う筒状の本体用断熱部材が内部に設けられた湯沸し器本体と、前記蓋体を、揺動軸周りの揺動により前記内容器の上部開口を開閉自在な状態で支持する揺動支持部とを備え、前記蓋体に、当該蓋体が前記内容器の上部開口を閉じる状態に維持する係合部を備え、前記湯沸し器本体に、前記係合部を収容する収容凹部を備え、前記本体用断熱部材の上端部が、前記湯沸し器本体の上下方向において、前記収納凹部及び前記揺動支持部のうち少なくとも何れか一方と同等の位置、又は、前記収納凹部及び前記蓋体支持部揺動支持部のうち少なくとも何れか一方よりも上方に位置する点にある。
【００１３】
上記特徴構成によれば、湯沸し器本体において、本体用断熱部材が、内容器よりも上方に設けられた収容凹部及び揺動支持部のうち少なくとも何れか一方の高さ位置まで上方に延びる状態で設けられているので、本体用断熱部材により内容器の上端部側を広範囲にわたって覆うことができる。これにより、本体用断熱部材による断熱性が向上するので、省エネルギ化を図ることができる。
【００１４】
本発明に係る電気湯沸し器の更なる特徴構成は、前記内容器及び当該内容器の外周側を覆う筒状の本体用断熱部材が内部に設けられた湯沸し器本体を備え、前記内容器の底部に、前記内容器から前記湯水を前記湯沸し器本体に設けられた湯水吐出口に供給する導水管が接続され、前記本体用断熱部材の下端部が、前記湯沸し器本体の上下方向において、前記導水管と同等の位置又は前記導水管よりも下方に位置する点にある。
【００１５】
上記特徴構成によれば、湯沸し器本体において、本体用断熱部材が、内容器の底部に接続された導水管の高さ位置まで下方に延びる状態で設けられているので、本体用断熱部材により内容器の下端部側を広範囲にわたって覆うことができる。これにより、本体用断熱部材による断熱性が向上するので、省エネルギ化を図ることができる。
【００１６】
本発明に係る電気湯沸し器の更なる特徴構成は、前記蓋体が、前記内容器の上部開口を覆う下側部材と、前記下側部材とは別体に構成され、前記下側部材の上部に接続された上側部材とを備えている点にある。
【００１７】
上記特徴構成によれば、蓋体を構成する下側部材と上側部材とが別体に構成されているので、内容器の上部開口を覆う下側部材が内容器に貯留される湯水により加熱された場合において、下側部材から上側部材への伝熱が抑制される。これにより、内容器に貯留される湯水の熱が下側部材から上側部材に伝熱して、上側部材から放熱されることが抑制される。よって、省エネルギ化を図ることができる。
【図面の簡単な説明】
【００１８】
【図１】電気湯沸し器の横断面図
【図２】電気湯沸し器の正断面図
【図３】電気湯沸し器の分解斜視図
【図４】収納凹部を示す横断面図
【図５】揺動支持部を示す斜視図（ａ）及び横断面図（ｂ）
【図６】本体用断熱部材を示す斜視図
【発明を実施するための形態】
【００１９】
以下、図面に基づいて、本発明の電気湯沸し器１００の実施形態を説明する。
図１及び図２に示すように、電気湯沸し器１００は、湯水を貯留する有底筒状の内容器１を内部に備えた湯沸し器本体１０と、内容器１の上部開口１ａを開閉自在な蓋体２０とを備えている。また、蓋体２０の内部には、蓋体用断熱部材２５が蓋体２０の厚み方向に層状に設けられている。
【００２０】
具体的には、湯沸し器本体１０は、湯水Ｗを貯留する内容器１と、内容器１の外周側を覆う筒状の本体用断熱部材３とを内部に備えている。その本体用断熱部材３の外周側には、湯沸し器本体１０の外郭側面を形成する筒状の外枠部材２を備えている。外枠部材２の上方側には、その外枠部材２と内容器１の外周側との間に上枠部材６が備えられている。一方、外枠部材２の下方側には、外枠部材２の下方側開口部２ａを閉塞する底部材４が設けられている。
また、内容器１の底部１ｃには、内容器１に貯留された湯水Ｗを加熱する電気ヒータＨが設けられている。そして、内容器１の底部１ｃと底部材４との間には、内容器１の湯水Ｗを電気湯沸し器１００の外部に取出すための導水管８及びポンプＰが設けられている。
【００２１】
以下、湯沸し器本体１０の各構成部材について説明する。
図１及び図３に示すように、外枠部材２には、湯水Ｗを吐出する湯水吐出口２ｂが形成された吐出口形成部５が形成されている。この吐出口形成部５は、外枠部材２の上部の外周面の一部が、外周側に突出して形成されている。
なお、以下の説明においては、外枠部材２の周方向において吐出口形成部５が突出して形成されている側を前方とし、その反対側を後方として説明する。
【００２２】
図１及び図２に示すように、上枠部材６は、その円筒状の内周面が内容器１の上部開口１ａと連通するように、内容器１の上方に設けられている。そして、内容器１の上部開口１ａを閉じた状態にある蓋体２０が、上枠部材６の内周面の内側に位置することとなる。
【００２３】
上枠部材６の内周面の前側には、図１及び図４に示すように、蓋体２０を内容器１の上部開口１ａを閉じる状態に維持する係合部２３ａを収納する収納凹部６ｅが設けられている。この収納凹部６ｅは、後方に開口し、かつ、内周面の周方向に沿って延びる状態で形成されている。また、収納凹部６ｅの下端部である凹部下端部６ｇから収納凹部６ｅの上端部である凹部上端部６ｉにわたって、湯沸し器本体１０の上方に向かうに従って収納凹部６ｅの深さが深くなるように形成されている。なお、図４は湯沸し器本体１０の中央部における断面図である。
そして、収納凹部６ｅの凹部上端部６ｉに形成される下向きの内面に、収納凹部６ｅに収容された蓋体２０の係合部２３ａの上端部が当接することで、蓋体２０が内容器１の上部開口１ａを閉じた状態に維持される。
【００２４】
一方、上枠部材６の後側には、図３、図５（ａ）及び図５（ｂ）に示すように、蓋体２０を、揺動軸２３ｃ周りの揺動により内容器１の上部開口１ａを開閉自在な状態で支持する揺動支持部としての揺動軸支持溝６ａが設けられている。
【００２５】
具体的には、揺動軸支持溝６ａは、前方に開口し、かつ、前後方向に直交する左右方向に延びる凹部で構成されている。また、揺動軸支持溝６ａの前側には、上下移動自在、かつ、上方に付勢された支持板１２が設けられている。支持板１２は、上方に付勢された状態で、揺動軸支持溝６ａの前方の開口を塞ぐように構成され、揺動軸支持溝６ａに収容された揺動軸２３ｃが揺動軸支持溝６ａの前方の開口から外れることを防止する。
【００２６】
この揺動軸支持溝６ａは、上枠部材６の後方に形成された後方凸部６ｃに設けられている。また、後方凸部６ｃの両側には、蓋体２０を湯沸し器本体１０に取付けた状態で、蓋体２０に設けられた揺動軸取付部２３ｂが挿入される後方溝部６ｂが設けられている。なお、図５（ｂ）は、後方凸部６ｃの一端側における湯沸し器本体１０の上部の断面図である。
【００２７】
そして、蓋体２０の揺動軸取付部２３ｂを湯沸し器本体１０の後方溝部６ｂに挿入した状態、かつ、蓋体２０の揺動軸２３ｃを湯沸し器本体１０の揺動軸支持溝６ａに収容する状態で、蓋体２０を湯沸し器本体１０に取付けることにより、蓋体２０が、揺動軸２３ｃを中心とする揺動により、湯沸し器本体１０に対して開閉自在に支持される。
【００２８】
図１及び図３に示すように、上枠部材６の前側の上部には、内容器１の湯水Ｗの温度を表示する表示部、内容器１の湯水Ｗの温度を設定する設定部、湯水Ｗを湯水吐出口２ｂから吐出するためのスイッチ等が設けられた操作部６ｄが設けられている。また、図１及び図２に示すように、上枠部材６の下部は、本体用断熱部材３の内部に嵌め込まれている。
【００２９】
また、図１及び図２に示すように、内容器１は、その上部開口１ａにおいて外周側に突出する状態で周方向に形成された上端縁部１ｂを備え、その上端縁部１ｂが上枠部材６の内周面に形成された段部６ｆにパッキン７を介して支持された状態で設けられている。
【００３０】
内容器１の底部１ｃには、湯水Ｗを貯留部Ｔから取出すための湯水取出口１ｄが形成されている。この湯水取出口１ｄに、湯水Ｗを接続管８ａを通して湯水吐出口２ｂに供給する導水管８が接続されている。なお、導水管８は、内容器１の底部１ｃよりも下方に設けられた湯水Ｗが流れる配管部位であり、接続管８ａは、内容器１の底部１ｃよりも上方に設けられた湯水Ｗが流れる配管部位である。
【００３１】
本体用断熱部材３の斜視図を図６に示す。本体用断熱部材３は、内周側及び外周側の円筒体を上下端部で接合した中空円筒体であり、中空円筒体の内部が真空状態に保たれている。そして、上述の如く、本体用断熱部材３の上部が、上枠部材６に嵌め込まれている。
【００３２】
図４、図５（ｂ）および図６に示すように、本体用断熱部材３の前方向及び後方向には、夫々前方側切り欠き部３ｂ及び後方側切り欠き部３ｃが設けられている。なお、この前方側切り欠き部３ｂ及び後方側切り欠き部３ｃは、本体用断熱部材３が、蓋体２０の係合部２３ａの収納凹部６ｅへの挿入動作、及び、揺動軸支持溝６ａに支持された蓋体２０の開閉動作を妨げないようにするために形成されている。
【００３３】
また、図２に示すように、蓋体２０に設けられた複数の蓋体用断熱部材２５は、上面側断熱部材２５ａと、その下方に設けられた複数の内周側断熱部材２５ｃと、複数の外周側断熱部材２５ｄとにより構成されている。そして、蓋体２０が内容器１の上部開口１ａを閉じた状態で、湯沸し器本体１０の上下方向において、本体用断熱部材３の上端部３ａが、蓋体２０の内部に層状に設けられた内周側断熱部材２５ｃのうち、下から２層目に設けられた内周側断熱部材２５ｃよりも上方に位置している。具体的には、本体用断熱部材３の上端部３ａの位置が、下から４層目に設けられた内周側断熱部材２５ｃと同等の位置となるように構成されている。ここで、下から４層目に設けられた内周側断熱部材２５ｃと同等の位置とは、下から４層目に設けられた内周側断熱部材２５ｃの下端部から上端部までの範囲内に本体用断熱部材３の上端部３ａが位置することを意味する。
【００３４】
また、湯沸し器本体１０の上下方向において、本体用断熱部材３の上端部３ａが、上枠部材６の前方に設けられた収納凹部６ｅ、及び、上枠部材６の後方に設けられた揺動軸支持溝６ａと同等の位置となるように構成されている。なお、本体用断熱部材３の上端部３ａが、上枠部材６の前方に設けられた収納凹部６ｅと同等の位置となる状態とは、本体用断熱部材３の上端部３ａが、湯沸し器本体１０の上下方向において、収納凹部６ｅの凹部下端部６ｇよりも上方に位置し、凹部上端部６ｉよりも下方に位置する状態を意味する。また、本体用断熱部材３の上端部３ａが、上枠部材６の後方に設けられた揺動軸支持溝６ａと同等の位置となる状態とは、本体用断熱部材３の上端部３ａが、湯沸し器本体１０の上下方向において、揺動軸支持溝６ａの支持溝下端部６ｈよりも上方に位置し、揺動軸支持溝６ａの上端部よりも下方に位置する状態を意味する。
【００３５】
一方、図１に示すように、本体用断熱部材３の下端部３ｄが、湯沸し器本体１０の上下方向において、導水管８と同等の位置となるように構成されている。なお、本体用断熱部材３の下端部３ｄが導水管８と同等の位置となる状態とは、本体用断熱部材３の下端部３ｄが、内容器１の径方向に延びる配管部位の導水管８の下端部である導水管下端部８ｂよりも上方に位置し、内容器１の径方向に延びる導水管８の配管部位の上端部よりも下方に位置する状態を意味する。
【００３６】
また、本体用断熱部材３の下端部３ｄには、導水管８を本体用断熱部材３の内周側から外周側に通すための導水管用切欠き部３ｅが設けられている。この導水管用切欠き部３ｅを通して、本体用断熱部材３の内周側から外周側に導かれた導水管８が、外枠部材２と本体用断熱部材３との間を上方に向かって延びる接続管８ａと接続している。また、内容器１と本体用断熱部材３との間の空間には、２つの円筒状の断熱材９が上下方向に並べられた状態で配置されている。
【００３７】
図１、図２及び図３に示すように、蓋体２０は、内容器１の上部開口１ａを覆う下側部材２２、及び、下側部材２２とは別体に構成され、下側部材２２の上部に接続された上側部材２３とを備える蓋本体２１と、下側部材２２の下部に設けられた内蓋板２７と、上側部材２３の上部の開口を塞ぐ上面部材２４とにより構成されている。この蓋体２０の内部に、複数の蓋体用断熱部材２５及び蒸気凝縮部２６が設けられている。
【００３８】
蒸気凝縮部２６は、下側部材２２の上部に設けられている。この蒸気凝縮部２６は略円環状に形成され、その内部に蒸気が通流する蒸気流路２６ａが形成されている。そして、貯留部Ｔの湯水Ｗから発生した蒸気が、内蓋板２７に設けられた蒸気通流孔（図示せず）及び下側部材２２の蒸気通過孔２２ａを通じて蒸気凝縮部２６の流入部２６ｂから流入し、蒸気流路２６ａを通流する。このように蒸気が蒸気流路２６ａを通流することで、蒸気の温度が低下して凝縮し、蒸気凝縮部２６の流出部２６ｃから流出する蒸気が減少する。なお、蒸気凝縮部２６において凝縮せず、流出部２６ｃから流出した蒸気は、上面部材２４に設けられた蒸気排出部２４ａから排出する。
【００３９】
また、蓋体２０の内部に設けられた複数の蓋体用断熱部材２５が、蓋体２０の厚み方向（上下方向）に層状に設けられている。この蓋体用断熱部材２５の材質は、例えば、耐熱性に優れた発泡メラミン樹脂とされる。
また、複数の蓋体用断熱部材２５は板状に形成され、蓋体用断熱部材２５の表面には、図示しない多数の微細な凹凸部が形成されている。この凹凸部によって、積層された蓋体用断熱部材２５同士が離間して、蓋体用断熱部材２５同士の間に空気層が形成される。
この空気層により、蓋体用断熱部材２５の間の伝熱を阻害することができるので、蓋体２０の断熱性を向上させることができる。これにより、内容器１から電気湯沸し器１００の外部へ蓋体２０を通じて放熱されることが抑制され、内容器１の湯水Ｗの温度を所定の温度に維持するための電気ヒータＨによる加熱を少なくすることができるので、省エネルギ化を図ることができる。
【００４０】
図１、図２及び図３に示すように、蓋体用断熱部材２５は、上面側断熱部材２５ａと下面側断熱部材２５ｂとにより構成されている。上面側断熱部材２５ａは、蓋体２０の内部において最上部に設けられ、蓋本体２１の前方に設けられた係合部２３ａの周囲と上面部材２４に設けられた蒸気排出部２４ａの下部を除く蓋本体２１の内周側の全体に広がる状態で設けられている。
【００４１】
下面側断熱部材２５ｂは、複数の内周側断熱部材２５ｃと、その外周側に配設された複数の外周側断熱部材２５ｄとにより構成されている。内周側断熱部材２５ｃは、その厚み方向が蓋体２０の厚み方向に沿う状態で、蒸気凝縮部２６の周囲及びその蒸気流路２６ａの上方に設けられている。本実施形態では、４つの内周側断熱部材２５ｃが積層された状態で設けられている。これにより、上面側断熱部材２５ａと内周側断熱部材２５ｃとの間、及び、内周側断熱部材２５ｃ同士の間に空気層が形成される。
【００４２】
一方、複数の外周側断熱部材２５ｄは、その厚み方向を、蓋体２０の厚み方向に直交する蓋体２０の径方向に沿う状態として、蓋本体２１の前方側と後方側とを除く、内周側断熱部材２５ｃの外周側に配設されている。これにより、上面側断熱部材２５ａと外周側断熱部材２５ｄとの間に空気層が形成される。
【００４３】
図１及び図２に示すように、下側部材２２に設けられた内蓋板２７の周囲には、開口パッキン２７ａが設けられている。そして、蓋体２０が湯沸し器本体１０の上部開口１ａを閉じる状態で、開口パッキン２７ａが内容器１の上部開口１ａの内周側の全周に設けられた内周凸部１ｅに当接するように構成され、開口パッキン２７ａと内周凸部１ｅとの間がシールされる。
【００４４】
また、上側部材２３には、湯沸し器本体１０の収納凹部６ｅに収納される係合部２３ａが設けられている。この係合部２３ａは、蓋体２０の厚み方向に直交する蓋体２０の径方向に移動自在であり、径方向外側に向かって付勢された状態で設けられている。これにより、湯沸し器本体１０に揺動自在に取付けられた蓋体２０を、湯沸し器本体１０の上部開口を閉じる状態とすることで、係合部２３ａが収納凹部６ｅに収納され、係合部２３ａの上端部が収納凹部６ｅの凹部上端部６ｉに形成される下向きの内面に当接する状態となり、蓋体２０が内容器１の上部開口１ａを閉じる状態で固定される。
【００４５】
一方、蓋体２０を開く際には、上面部材２４に設けられたレバー２４ｂの後方側を上方に持ち上げることにより、蓋体２０の径方向外側に向かって付勢されている係合部２３ａを、その付勢力に抗して径方向内側に移動させることができる。これにより、係合部２３ａが収納凹部６ｅから離間した状態となる。この状態で蓋体２０を上方に揺動させることにより蓋体２０を、湯沸し器本体１０の上部開口を開く状態にすることができる。
【００４６】
〔別実施形態〕
以下、別実施形態を列記する。
（１）上記実施形態では、本体用断熱部材３の上端部３ａが、湯沸し器本体１０の上下方向において、上枠部材６の前方に設けられた収納凹部６ｅ、及び、上枠部材６の後方に設けられた揺動軸支持溝６ａの両方と同等の位置となるように構成されたが、これに限らず、本体用断熱部材３の上端部３ａが、湯沸し器本体１０の上下方向において、上枠部材６の前方に設けられた収納凹部６ｅ、及び、上枠部材６の後方に設けられた揺動軸支持溝６ａのうち何れか一方と同等の位置となるように構成してもよい。
その他、本体用断熱部材３の上端部３ａが、湯沸し器本体１０の上下方向において、収納凹部６ｅ及び揺動軸支持溝６ａのうち少なくとも何れか一方よりも上方に位置するように構成されてもよい。つまり、本体用断熱部材３の上端部３ａが、収納凹部６ｅの凹部上端部６ｉ及び揺動軸支持溝６ａの上端部のうち少なくとも何れか一方よりも上方に位置するように構成されてもよい。
【００４７】
（２）上記実施形態では、本体用断熱部材３の前後方向において、前方側切り欠き部３ｂ及び後方側切り欠き部３ｃが設けられたが、これに限らず、本体用断熱部材３の前後方向に、前方側切り欠き部３ｂ及び後方側切り欠き部３ｃを設けなくてもよい。その他、例えば、本体用断熱部材３の前後方向に、貫通穴や外周面を内周面側に凹ませた凹み部を形成し、本体用断熱部材３が、係合部２３ａの収納凹部６ｅへの挿入動作、及び、揺動軸支持溝６ａに支持された蓋体２０の開閉動作を妨げないように構成してもよい。
【００４８】
（３）上記実施形態では、本体用断熱部材３の下端部３ｄが、湯沸し器本体１０の上下方向において、導水管８と同等の位置となるように構成されたが、これに限らず、本体用断熱部材３の下端部３ｄが、導水管８よりも下方に位置するように構成されていてもよい。つまり、本体用断熱部材３の下端部３ｄが、湯沸し器本体１０の上下方向において、導水管８の下端部である導水管下端部８ｂよりも下方に位置するように構成されていてもよい。
【００４９】
（４）上記実施形態では、本体用断熱部材３の下端部３ｄには、導水管８を本体用断熱部材３の内周側から外周側に通すための導水管用切欠き部３ｅが設けられたが、これに限らず、本体用断熱部材３の下端部３ｄに、導水管８を本体用断熱部材３の内周側から外周側に通すための貫通穴が設けられていてもよい。
【００５０】
（５）上記実施形態では、蓋体用断熱部材２５の材質は、発泡メラミン樹脂とされたが、これに限らず、蓋体用断熱部材２５は材質を、発泡メラミン樹脂以外の発泡プラスチックとしてもよい。
【００５１】
（６）上記実施形態では、下面側断熱部材２５ｂは、複数の内周側断熱部材２５ｃと、その外周側と蓋本体２１のとの間に配設された複数の外周側断熱部材２５ｄとにより構成されたが、これに限らず、下面側断熱部材２５ｂを、複数の内周側断熱部材２５ｃのみで構成してもよい。
【００５２】
（７）上記実施形態では、蓋体２０において、４つの内周側断熱部材２５ｃを層状に設けたが、これに限らず、２つ又は３の内周側断熱部材２５ｃを層状に設けてもよく、５つ以上の内周側断熱部材２５ｃを層状に設けてもよい。
【００５３】
（８）上記実施形態では、蓋本体２１において、下側部材２２と下側部材２２とが別体に構成されたが、これに限らず、蓋本体２１が、下側部材２２と上側部材２３とが一体に構成されていてもよい。
【００５４】
（９）上記実施形態では、蓋体用断熱部材２５の表面に存在する多数の微細な凹凸部によって、積層された蓋体用断熱部材２５同士が離間して、蓋体用断熱部材２５同士の間に空気層が形成されたが、これに限らず、積層された蓋体用断熱部材２５同士を離間させて、蓋体用断熱部材２５同士の間に空気層を形成する空間形成用部材を設けてもよい。
【００５５】
（１０）上記実施形態では、蓋体用断熱部材２５の表面に存在する多数の微細な凹凸部によって、積層された蓋体用断熱部材２５同士が離間して、蓋体用断熱部材２５同士の間に空気層が形成されたが、これに限らず、蓋体用断熱部材２５の表面に、蓋体用断熱部材２５を積層した状態で蓋体用断熱部材２５同士の間に空間を形成する空間形成用凹部を形成することにより、積層された蓋体用断熱部材２５同士の間に空気層を形成してもよい。
【００５６】
（１１）上記実施形態では、揺動支持部を揺動軸支持溝６ａとしたが、これに限らず、揺動支持部を揺動軸２３ｃとしてもよい。
【００５７】
（１２）上記実施形態では、揺動軸２３ｃが蓋体２０に設けられたが、これに限らず、揺動軸２３ｃを湯沸し器本体１０に設けてもよい。
【００５８】
（１３）上記実施形態では、蓋体２０が内容器１の上部開口１ａを閉じた状態で、湯沸し器本体１０の上下方向において、本体用断熱部材３の上端部３ａが、蓋体２０の内部に層状に設けられた内周側断熱部材２５ｃのうち、下から２層目に設けられた内周側断熱部材２５ｃよりも上方に位置するように構成されたが、これに限らず、本体用断熱部材３の上端部３ａが、下から２層目に設けられた内周側断熱部材２５ｃと同等の位置となるように構成してもよい。ここで、下から２層目に設けられた内周側断熱部材２５ｃと同等の位置とは、下から２層目に設けられた内周側断熱部材２５ｃの下端部から上端部までの範囲内に本体用断熱部材３の上端部３ａが位置することを意味する。その他、本体用断熱部材３の上端部３ａが、蓋体２０の内部において下から２層目に設けられた内周側断熱部材２５ｃよりも下方に位置するように構成されてもよい。
【００５９】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００６０】
以上説明したように、断熱性を向上することにより、省エネルギ化を図ることができる電気湯沸し器を提供することができる。
【符号の説明】
【００６１】
１  内容器、１ａ  上部開口、１ｃ  底部、２ｂ  湯水吐出口、３  本体用断熱部材、３ａ  上端部、３ｄ  下端部、６ａ  揺動軸支持溝（揺動支持部）、６ｅ  収納凹部、８  導水管、１０  湯沸し器本体、２０  蓋体、２２  下側部材、２３  上側部材、２３ａ  係合部、２５  蓋体用断熱部材、１００  電気湯沸し器、Ｗ  湯水
【図１】
2016214429.tif 000003
【図２】
2016214429.tif 000004
【図３】
2016214429.tif 000005
【図４】
2016214429.tif 000006
【図５】
2016214429.tif 000007
【図６】
2016214429.tif 000008